(57)【要約】      （修正有）【課題】ホースを引き出す際のノズル保持部やホースの損傷を確実に防止可能とする。【解決手段】消火栓装置は、筐体前面の開口部に下側を軸に開閉自在に装着された消火栓扉１８、筐体内部に収納したホース４４に装着したノズル４５、及び消火栓扉１８の内側に設けられノズル４５を着脱自在に保持するノズル保持部７０を備える。ノズル保持部７０は、バネ付きの蝶番１２２を閉じたホルダ部材１２０の起立状態でノズル４５を着脱自在に保持し、ノズル４５を外した場合にバネにより蝶番１２２を開くことによりホルダ部材１２０を倒して低くする。【選択図】図８
2012065886.tif 000002
【特許請求の範囲】
【請求項１】
筐体と、筐体前面の開口部に下側を軸に開閉自在に装着された消火栓扉と、前記筐体内部に収納したノズル付きホースと、前記消火栓扉側に設けられ前記ノズルを着脱自在に保持するノズル保持部と備えた消火栓装置に於いて、
前記ノズル保持部は、
前記ノズルを着脱自在に保持するホルダ部材と、
前記消火栓扉内面に対し前記ホルダ部材を前記消火栓扉の回動方向とは異なる方向に傾倒自在に支持する蝶番部材と、
を備え、
前記ホルダ部材を起立状態で前記ノズルを着脱自在に保持し、前記ノズルを外した場合に前記蝶番部材により前記ホルダ部材を前記消火栓扉内面に倒して低くする構造としたことを特徴とする消火栓装置。
【請求項２】
請求項１記載の消火栓装置に於いて、前記ホルダ部材を、前記ノズル部材に保持している前記ノズルの後方側に倒れるように、前記蝶番部材により支持したことを特徴とする消火栓装置。
【請求項３】
請求項１記載の消火栓装置に於いて、前記ホルダ部材を、前記ノズル部材に保持している前記ノズルの前方側に倒れるように、前記蝶番部材により支持したことを特徴とする消火栓装置。
【請求項４】
請求項１記載の消火栓装置に於いて、更に、前記ホルダ部材に保持された前記ノズルの後部を位置決めするノズル受け台を前記消火栓扉内面に設けたことを特徴とする消火栓装置。
【請求項５】
請求項１記載の消火栓装置に於いて、
前記消火栓扉の内面には消火栓弁開閉レバーを備えた操作ボックスが配置され、
前記ノズルはノズル筒の略中央にグリップを備え、
前記ホルダ部材を、前記ノズルのグリップ前方を保持可能で且つ前記ノズルのグリップ後方を保持しようとした場合はノズル先端が前記操作ボックスに当たって保持できない所定位置に、前記蝶番部材により支持したことを特徴とする消火栓装置。
【請求項６】
請求項１記載の消火栓装置に於いて、
前記ノズル保持部を２組配置し、前記ホルダ部材の起立状態で前記ノズルを２箇所で着脱自在に保持し、前記ノズルを外した場合に前記蝶番部材により前記消火栓扉内面に倒して低くする構造としたことを特徴とする消火栓装置。
【請求項７】
請求項６記載の消火栓装置に於いて、前記２組のノズル保持部に設けた前記ホルダ部材を、ノズルの後方側、ノズルの前方側、互いに向かい合う方向、又は互いに離れる方向に倒れるように、前記前記蝶番部材により支持したことを特徴とする消火栓装置。
【請求項８】
請求項１記載の消火栓装置に於いて、前記ノズル保持部に隣接して、バネ部材により開方向に付勢された蝶番部材によりカバー部材を回動自在に消火栓扉内面に支持し、前記ホルダ部材を倒した状態で前記カバー部材を前記蝶番部材により回動し、倒れたホルダ部材の上方に前記カバー部材を位置させることを特徴とする消火栓装置。
【発明の詳細な説明】
【技術分野】
【０００１】
本発明は、消火栓扉を開いてノズル付きホースを引き出して放水する消火栓装置に関する。
【背景技術】
【０００２】
従来、自動車専用道路などのトンネル内には、火災発生時に備えて消火栓装置が設置されている。
【０００３】
図２０は従来の消火栓装置２００の正面図であり、図２１は消火栓装置２００の消火栓扉２０４を開いた状態の内部構造の平面図であり、図２２はその側面図である。消火栓装置２００の筐体２０２の前面の扉開口には消火栓扉２０４と消火器扉２０６が設けられている。
【０００４】
消火栓扉２０４にはハンドルが設けられ、ハンドルを手前に引くことでロックを解除し、消火栓扉２０４の下側を回転軸に前方に開放することができる。また消火栓扉２０４と筐体２０２との間には緩衝用ダンパ２０８を設けて接続され、消火栓扉２０４を滑らかに開放できるようにしている。
【０００５】
筐体２０２のホース収納部にはホースバケット構造として、Ｕ字形に形成したフレームパイプ２１５が開口側に配置されている。フレームパイプ２１５の両側にはホースバケット２１６が取り付けられ、内部にホース収納空間を形成し、先端にノズル２１０を装着したホース２１２を筐体内のホースバケット２１６に内巻きして収納している。
【０００６】
ホース２１２はホースバケット２１６の側面板に開口した孔を通してホースバケット２１６内に収納される。その孔には、ホース２１２を引き出したときに、ホース２１２が擦れてホース表面が傷付くことを防ぐために、ホース２１２は保護管２１２ａの中を通ってホースバケット２１６内に入る。
【０００７】
このような消火栓装置２００は火災を伴う車両事故の発生時に、消火栓扉２０４を開いてノズル２１０付きのホース２１２を引き出し、扉内に設けている消火栓弁開閉レバー２１４を操作することで消火栓弁２２０を開き、同時に図示しないポンプ起動スイッチがレバー開位置でオンし、消火ポンプ設備を起動して放水を行うことができる。
【０００８】
また消火栓扉２０４の内側に逆Ｕ字型のパイプフレームなどを用いたホースガイド２２２を設け、ホース２１４が消火栓弁開閉レバー２１４や操作案内板などの部材に引っかかることを防ぐためホースガイド２２２を通してホース２１４を引き出すようにしている。
【０００９】
更に消火栓開閉レバー２１４の横にはレバーガード２１８が配置され、手前の開位置に操作した消火栓弁開閉レバー２１４に引き出したホース２１２が当たって閉位置に戻ってしまうことを防止している。
【００１０】
消火栓扉２０４の内側には図２１及び図２２に示すように凹部２２４が形成され、凹部２２４にノズル保持部２２５を取付け、凹部２２４から上方に突出したノズル保持部の先端にノズル２１０を着脱自在に保持している。
【先行技術文献】
【特許文献】
【００１１】
【特許文献１】特開２００６−００６３７６号公報
【発明の概要】
【発明が解決しようとする課題】
【００１２】
しかしながら、このような従来の消火栓装置にあっては、消火栓扉の内側に形成した凹部２２４にノズル保持部２２５を配置していたため、ノズル保持部２２５からノズル２１０を取り出してホース２１２を引き出す際、あるいは放水位置を変えるためにホースを左右に移動する際に、凹部２２４から上方に飛び出しているノズル保持部２２５にホースが当たった場合、ホース２１２を傷付けたり、ホース２１２が引っかかってしまう可能性がある。
【００１３】
このようなことを防ぐために、図２１に示したように、消火栓扉の内側にホースガイド２２２を設け、更に、消火栓弁開閉レバー２１４の横にレバーガード２１８を配置し、ホース２１２を右横方向に引き出すときにホース２１２が当たってレバーが戻ってしまうことを防止したり、ノズル保持部２２５にホースが当たらないようにしているが、そのためにホースガイド２２２など部品点数が増える。またホース収納空間の中央部に、消火栓扉を閉めた際のホースガイド２２２を収容できる空間を設ける必要がありホース収容部が大きくなる。さらにホース収容部にホースを収納するときに、ホースガイド用の収容部を確保するように気を遣ってホースを収容する必要があった。
【００１４】
本発明は、ホースを引き出す際のノズル保持部やホースの損傷を確実に防止可能とする消火栓装置を提供することを目的とする。
【課題を解決するための手段】
【００１５】
本発明は、筐体と、筐体前面の開口部に下側を軸に開閉自在に装着された消火栓扉と、筐体内部に収納したノズル付きホースと、消火栓扉側に設けられ前記ノズルを着脱自在に保持するノズル保持部と備えた消火栓装置に於いて、
ノズル保持部は、
前記ノズルを着脱自在に保持するホルダ部材と、
消火栓扉内面に対し前記ホルダ部材を消火栓扉の回動方向とは異なる方向に傾倒自在に支持する蝶番部材と、
を備え、
ホルダ部材を起立状態でノズルを着脱自在に保持し、ノズルを外した場合に蝶番部材によりホルダ部材を消火栓扉内面に倒して低くする構造としたことを特徴とする。
【００１６】
ここで、ホルダ部材を、ノズル部材に保持しているノズルの後方側に倒れるように、蝶番部材により支持する。
【００１７】
また、ホルダ部材を、ノズル部材に保持しているノズルの前方側に倒れるように、蝶番部材により支持しても良い。
【００１８】
本発明の消火栓装置は、更に、ホルダ部材に保持されたノズルの後部を位置決めするノズル受け台を消火栓扉内面に設ける。
【００１９】
消火栓扉の内面には消火栓弁開閉レバーを備えた操作ボックスが配置され、ノズルはノズル筒の略中央にグリップを備え、ホルダ部材を、ノズルのグリップ前方を保持可能で且つノズルのグリップ後方を保持しようとした場合はノズル先端が操作ボックスに当たって保持できない所定位置に、蝶番部材により支持する。
【００２０】
またノズル保持部を２組配置し、ホルダ部材の起立状態で前記ノズルを２箇所で着脱自在に保持し、ノズルを外した場合に蝶番部材により消火栓扉内面に倒して低くする構造とする。
【００２１】
ここで、２組のノズル保持部に設けたホルダ部材を、ノズルの後方側、ノズルの前方側、互いに向かい合う方向、又は互いに離れる方向に倒れるように、前記蝶番部材により支持する。
【００２２】
更に本発明の別の形態にあっては、更に、ノズル保持部に隣接して、バネ部材により開方向に付勢された蝶番部材によりカバー部材を回動自在に消火栓扉内面に支持し、ホルダ部材を倒した状態でカバー部材を蝶番部材により回動し、倒れたホルダ部材の上方にカバー部材を位置させる。
【発明の効果】
【００２３】
本発明によれば、消火栓扉内側に設けられたノズル保持部の回動可能なホルダ部材は起立した状態でノズルを保持しており、消火栓扉を開いてノズルを取り出した場合、起立していたホルダ部材は扉内面に回動して倒れ、ホルダ部材が倒れることで扉内面に対する高さが低くなり、筐体から引き出したホースは倒れて低くなったホルダ部材に当ることがなく、ホースの傷付きを確実に防止し、ホースの引き出し作業に悪影響を及ぼすことを防止することができる。
【図面の簡単な説明】
【００２４】
【図１】本発明による消火栓装置の実施形態を正面から示した説明図
【図２】図１について消火栓扉を外して内部構造を示した正面図
【図３】図１について消火栓扉側を開いた状態を示した正面図
【図４】図１について消火栓扉を開いた状態でホース収納空間の構造を示した右側面図
【図５】図３の消火栓扉内側に設けた消火栓弁操作部の内部構造を平面で示した説明図
【図６】図５の消火栓弁操作部の内部構造を側面断面で示した説明図
【図７】消火栓扉内面に設けたノズル保持部の実施形態を示した説明図
【図８】図７のノズル保持部からノズルを取り出した状態を示した説明図
【図９】図７のホルダ部材が起立状態にあるノズル保持部を取り出して示した説明図
【図１０】図７のホルダ部材が倒れた状態にあるノズル保持部を取り出して示した説明図
【図１１】本発明のノズル保持部に使用する蝶番を取り出して示した説明図
【図１２】本発明のノズル保持部に隣接して配置されるノズル受け台を取り出して示した説明図
【図１３】図７に対しホルダ部材の傾倒方向を逆にした本発明によるノズル保持部の他の実施形態を示した説明図
【図１４】ノズル保持部を２組設けた本発明の他の実施形態を示した説明図
【図１５】図１４に対し２つのホルダ部材の傾倒方向を逆にした本発明の他の実施形態を示した説明図
【図１６】２つのホルダ部材の傾倒方向を離れる方向とした本発明の他の実施形態を示した説明図
【図１７】倒れたホルダ部材を覆う開閉自在なカバー構造を備えた本発明の他の実施形態を示した説明図
【図１８】図１７のカバー構造を取り出して側面で示した説明図
【図１９】図１７のカバー構造を取り出して平面で示した説明図
【図２０】従来の消火栓装置の扉を外して内部構造を示した正面図
【図２１】従来の消火栓装置の扉を開放して内部構造を示した平面図
【図２２】従来の消火栓装置の扉を開放して内部構造を示した側面図
【発明を実施するための形態】
【００２５】
図１は本発明によるトンネルに設置される消火栓装置の実施形態を示した正面図である。図１において、消火栓装置１０は、消火栓側の筐体１２−１と消火器側の筐体１２−２に分割した構造であり、前面に化粧板１４−１，１４−２を装着しており、筐体１２−１，１２−２に対し必要な機器及び部材を組付けた後に連結固定した状態とし、この状態でトンネル現場に搬入して架台１１上に設置している。
【００２６】
化粧板１４−１，１４−２には扉開口部１６，１７が設けられている。筐体１２−１の扉開口部１６には、消火栓扉１８と保守扉２２が設けられており、その内部がホース収納空間及びバルブ類収納空間となっている。
【００２７】
消火栓扉１８は、扉開口部１６に対し下側の回動軸２１を中心に下向きに開閉自在に設けられており、マグネットと受け板を用いたロック機構により閉止位置に閉じている。消火栓扉１８は、ハンドル２０を手前に引いてロック機構の磁気吸着ロックを外すことで前方に開閉することができる。
【００２８】
扉開口部１６は内部のホース収納空間に形成されたホース取出口に相対して筐体全部の略中央に形成され、扉下部の回動軸２１による消火栓扉１８の軸支による回動支持で下向きに開放した場合、消火栓扉１８は斜め下向きの開放位置に開放される。
【００２９】
消火栓扉１８の上には上部に回動軸２３を有し前向きに開閉する保守扉２２が設けられており、マグネットと受け板を用いたロック機構により磁気吸着により閉止位置に保持されており、点検時に消火栓扉１８を開放した後に保守扉２２の下端を手前に引くことで上方に開くことができる。
【００３０】
筐体１２−２の扉開口部１７の右側には通報装置扉２４が設けられ、ここに赤色表示灯２６、発信機２８、及び応答ランプ３０を設けている。なお、通報装置扉２４の内側には図２に示すように電話ジャック３１を設けている。
【００３１】
赤色表示灯２６は常時点灯し、消火栓装置１０の設置場所が遠方から分かるようにしている。火災時には、発信機２８を押すと、発信信号が監視室の火災受信機に送信されて火災警報が出され、これに伴い応答信号が火災受信機から送られて、応答ランプ３０を点灯するようにしている。
【００３２】
扉開口部１７の左側には消火器扉３２が設けられ、消火器扉３２に対応した筐体１２−２の内部を消火器収納空間とし、例えば２本の消火器を収納している。消火器扉３２にはハンドル３４が設けられ、ハンドル３４を手前に引くとマグネットによるロックが外れ、消火器扉３２は左側を回動軸として前方に開くことができる。また、消火器扉３４の下側には覗き窓３５が設けられ、外部から消火器の収納状態の有無を確認できるようにしている。
【００３３】
図２は図１の実施形態について筐体１２−１側の消火栓扉を外し、保守扉２２は上向きに開いてステー２７で開状態に支持した状態で内部構造を示した正面図である。
【００３４】
図２において、保守扉２２は、消火栓装置の保守以外には通常閉じられており、消火作業時も閉められたままで消火栓扉１８のみ開放される。消火栓扉１８と保守扉２２が閉じる筐体１２−１の扉開口部１６の両側には、扉側の受け板を吸着保持するロック機構のマグネット６８ａ，６９ａが配置される。
【００３５】
筐体１２−１の左側にはホース収納空間３６が形成され、右側にバルブ類収納空間３８を形成している。ホース収納空間３６には、その周囲を囲んでホース４４を押えるホースバケット構造４０が設けられている。
【００３６】
ホースバケット構造４０は、横２本、縦２本のフレームの組み合わせており、扉開口部１６の左右方向における略中央となる位置にホース取出口４２を仕切り形成している。ホース取出口４２の下側には張出ホースガイド４６が設けられ、ホース４４を左方向に引き出す際の急激な折れ曲がりを緩和して滑らかな引き出しを可能とする。
【００３７】
ホースバケット構造４０及び筐体内壁で囲まれたホース収納空間３６にはホース４４が内巻きして収納されている。ここで、右側のバルブ類収納空間３８の下部にはホース接続口４８が配置されており、ホース接続口４８にホース４４の１次側を接続した後、ホース４４をホース収納空間３６に巻き込むことになるが、この場合のホース４４の巻き込みは、扉開口部１６から見て右巻きとなるように巻き込んでいる。
【００３８】
即ち、ホース接続口４８に接続したホース４４は、まず筐体１２−１の下側内壁に沿うようにホース収納空間３６方向に向かい、ホース収納空間３６の下側から巻き込まれ、その後に、右回りに収納空間内に巻き込まれ、最後にノズルを装着したホース先端を扉開口部１６の中央付近に形成されたホース取出口４２から取り出している。
【００３９】
このようにホース巻き込み開始部分は右巻きによりホース収納空間３６の下側に送りこまれるため、巻き込み開始部分のホース４４がホースバケット構造４０のフレームに当って摺動するようなことはなく、図１２の従来のホース左巻きによりホースバケット構造に当って摺動することに対する保護の必要がなく、構造を簡単にしている。
【００４０】
筐体１２−１に設けたホース収納空間３６の右側に配置したバルブ類収納空間３８には、ポンプ設備からの配管が接続される消火栓接続口５０からホース接続口４８に至る配管系統に、給水弁５２、消火栓弁５４および自動排水弁（図示せず）などを設けている。このうち消火栓弁５４の横には機器ボックス６０が配置され、消火栓扉の内側に配置される消火栓弁開閉レバーにより遠隔的に消火栓弁５４を開閉操作できるようにしている。
【００４１】
また給水弁５２の手前にはポンプ起動スイッチ６２が配置される。給水弁５２及びポンプ起動スイッチ６２は消防隊が消火時に操作する機器であり、消火栓扉１８を開いても保守扉２２により隠されており、消火栓装置を操作しようとするユーザに見せないことで、不要な混乱を起させないようにしている。
【００４２】
図３は図１の消火栓装置１０における消火栓扉１８を開いた状態を示した正面図である。図１の消火栓扉１８に設けたハンドル２０を手前に引いてロックを外すと、消火栓扉１８は斜め下向きとなる位置に開放する。消火栓扉１８の内側には消火栓弁開閉レバー６４を備えた操作ボックス７６が配置される。また消火栓扉１８の内部左側のノズル保持部７０にはホース先端に装着したノズル４５が着脱自在に保持され、ノズル４５の後部はノズル受け台７２により位置決めされている。
【００４３】
図４は図１について筐体の内部構造を示した右側面図であり、消火栓扉１８及び保守扉２２を開いた状態で示している。消火栓扉１８は斜め下向きに開放し、扉内側には操作ボックス７６が配置され、操作ボックス７６の横に消火栓弁開閉レバー６４を垂直回りに回動操作可能に設け、消火栓弁５４を遠隔操作により開閉するようにしている。
【００４４】
消火栓弁開閉レバー６４は図示の後方に回動した位置を閉位置とし、前方の想像線で示す消火栓弁開閉レバー６４ａの位置が開位置となる。消火栓扉１８を斜め下向きに開放することで、ホース４４を引き出した際にホース４４が消火栓開閉レバー６４に接触しづらくなり、ホース４４の移動で消火栓開閉レバー６４が誤って開閉が切り替わることを防いでいる。
【００４５】
操作ボックス７６の後方からはワイヤーチューブ８８，９０が引き出され、その中にワイヤーケーブル８２，８４を移動自在に通している。ワイヤーケーブル８２，８４は消火栓弁５４の弁軸に設けた機器ボックス６０内のプーリー６３に連結されると共に操作ボックス７６内に設けた後の説明で明らかにするプーリーと連結されて遠隔操作機構を構成している。
【００４６】
このような遠隔操作機構により、消火栓弁開閉レバー６４を図示の閉位置から想像線で示す消火栓弁開閉レバー６４ａで示す開位置に操作すると、操作ボックス７６内のプーリーが一体に回転し、これに伴いワイヤーケーブル８２，８４を介してプーリー６３が回転し、消火栓弁５４を閉位置から開位置に操作することができる。
【００４７】
図５は図３の消火栓扉内側に設けた消火栓弁操作部の内部構造を平面で示した説明図であり、図３の操作ボックスの上カバーを外した状態で示している。
【００４８】
図５において、操作ボックス７６は外カバー７６ａの中に内カバー７６ｂを配置し、内カバー７６ｂの軸受９８に対し駆動軸９６を回動自在に装着しており、駆動軸９６の右端は外カバー７６ａ内に位置するが、駆動軸９６の左端は外カバー７６ａを貫通して外側に取り出され、そこに消火栓弁開閉レバー６４の基部を固定している。
【００４９】
また内カバー７６ｂには垂直軸により扉面と平行な水平回りに回動自在にプーリー９６を配置している。プーリー１０８はギア機構を介して駆動軸９６に連結されており、消火栓弁開閉レバー６４の垂直回りの操作による駆動軸９６の垂直回りの回転を、ギア機構を介してプーリー１０８に伝達し、プーリー１０８を水平回りに回転可能としている。
【００５０】
ギア機構は、第１ねじ歯車１０２、アイドルねじ歯車１５０及び第２ねじ歯車１０４で構成される。第１ねじ歯車１０２は駆動軸９８に設けられ垂直周りに回動する。第２ねじ歯車１０４は上側にプーリー１０８を同軸に固定している。第１ねじ歯車１０２と第２ねじ歯車１０４の間にはアイドルねじ歯車１１４が配置され、第１ねじ歯車１０２からプーリー１０８を遠避けて干渉しない位置に配置している。
【００５１】
ギア機構を構成する第１ねじ歯車１０２、アイドルねじ歯車１１４及び第２ねじ歯車１０４の歯数はそれぞれ同一であり、消火栓開閉レバー６４の回転角に応じた回転がそのまま第２ギア１０４に伝達されてプーリー１０８を回転することになる。なお、第１ねじ歯車１０２と第２ねじ歯車１０４の歯数を同一とし、アイドルねじ歯車１１４の歯数を異ならせることで、増速または減速した回転をプーリー１０８に伝達することもできる。
【００５２】
プーリー１０８には図４に示した消火栓弁５４の操作軸に設けたプーリー６３に連結したワイヤーケーブル８２，８４が内カバー７６ｂの後端にコネクタ部材１１０，１１２で固定したワイヤーチューブ８８，９０を通して連結されており、消火栓弁５４を開閉操作する遠隔開閉機構を構成している。
【００５３】
図６は図５の消火栓弁操作部の内部構造を側面断面で示した説明図であり、水平方向に配置した駆動軸９６の第１ねじ歯車１０２に対し、アイドルねじ歯車１１４はオフセットして直交配置した垂直軸１１６に装着されており、更にアイドルねじ歯車１１４に対し、第２ねじ歯車１０４がオフセットした垂直軸１０６に装着されており、第２ねじ歯車１０４の上部にプーリー１０８を固定している。
【００５４】
ギア機構を構成する第１ねじ歯車１０２は駆動軸９６に固定され、消火栓弁開閉レバー６４の操作により駆動軸９６を介して垂直周りに回転される。第１ねじ歯車１０２に対しアイドルねじ歯車１１４はオフセットした位置に設けた垂直軸１１６に水平回りに回転自在に装着されて噛み合っており、更に、アイドルねじ歯車１１４にはオフセットした位置に設けた垂直軸１０６に水平回りに回転自在に設けた第２ねじ歯車１０４が噛み合っている。第１ねじ歯車１０２の垂直回りの回転は、アイドルねじ歯車１１４により水平回りの回転に変換され、更に第２ねじ歯車１０４に水平回りの回転として伝達され、第２ねじ歯車１０４により同軸に固定したプーリー１０８を水平回りに回転する。
【００５５】
このように駆動軸９６の第１ねじ歯車１０２と、プーリー１０８を固定した第２ねじ歯車１０４との間にアイドルねじ歯車１１４を介在させることで、第２ねじ歯車１０４に固定したプーリー１０８を扉奥行き方向（図で左側）に離すことができ、第１ねじ歯車１０２とプーリー１０８が干渉しない配置とすることができる。
【００５６】
このようなギア機構により、消火栓扉１８の内側に配置した操作ボックス７６の飛び出し量を更に低減してより薄型化し、消火栓扉１８を閉鎖した場合の筐体側に確保しなければならないスペースを低減し、筐体内に対する機器設置スペースの制約を抑制でき、併せてホースを外部に引き出す際に操作ボックス７６に当たって干渉することを防止できる。
【００５７】
図７は消火栓扉内面に設けたノズル保持部の実施形態を示した説明図である。図７において、消火栓扉１８の扉内面の右側には消火栓弁開閉レバー６４を設けた操作ボックス７６が配置され、その左側の扉内面にノズル保持部７０とノズル受け台７２を配置し、ホース４４の先端に装着したノズル４５を着脱自在に保持している。
【００５８】
ノズル４５は筒状のノズル本体４５ａの略中央にグリップ４５ｂを設けており、グリップ４５ｂの右側となる先端側をノズル保持部７０に保持し、グリップ４５ｂの左側となる後端側をノズル受け台７２に載せて位置決めしている。
【００５９】
図８は図７のノズル保持部７０からノズル４５を取り外した状態であり、ノズル保持部７０は後の説明で詳細に説明するように、扉内面に固定する取付部材１２４に対しバネ部材付きの蝶番１２２を介して先端が二股に分かれたホルダ部材１２０を傾倒自在に設けており、図７のノズル４５の保持状態ではホルダ部材１２０は起立しているが、図８のようにノズル４５を取り外すと、ホルダ部材１２０はバネ部材により蝶番１２２が開くことで、扉内面に倒されて高さを低くするようにしている。
【００６０】
図９は図７のホルダ部材が起立状態にあるノズル保持部を取り出して示した説明図であり、図９（Ａ）は消火栓装置の側面側からみた図であり、図９（Ｂ）は図９（Ａ）の側面図であり、開放した消火栓扉の前方縁部側から見た図である。図９において、ノズル保持部７０は、消火栓扉の扉内面１８ａに固定する取付部材１２４に対し蝶番１２２を介してホルダ部材１２０を傾倒自在に配置している。
【００６１】
ホルダ部材１２０は図７に示すようにノズル４５を保持した状態にあっては、筐体内から引き出されたホース４４によりノズル４５が先端方向に押されており、このため図９に示すように、蝶番１２２が閉じることでホルダ部材１２０を起立状態に支持している。
【００６２】
これに対し図１０（Ａ）（Ｂ）に示すように、ノズル保持部７０からノズル４５を取り外すと、蝶番１２２の軸ピンの部分に配置しているバネ部材により蝶番１２２がノズル受け台７２側に開き、起立していたホルダ部材１２０を扉内面１８ａと略平行となるように倒し、その結果、ホルダ部材１２０の扉内面１８ａからの飛び出し量は、起立状態におけるホルダ部材１２０の横幅となる低い位置に抑えられる。
【００６３】
このためノズル４５を取り外してホースを外部に引き出す場合、図１０のように倒れたホルダ部材１２０はその横に配置している操作ボックス７６と同程度の低い位置となり、筐体から引き出したホースは倒れて低くなったホルダ部材に当ることがなく、ホースの傷付きを確実に防止し、ホースの引き出し作業に悪影響を及ぼすことを防止することができる。
【００６４】
図１１はノズル保持部に設けた蝶番を取り出した説明図であり、図１１（Ａ）に平面を、図１１（Ｂ）に側面を示す。図１１において、蝶番１２２は一対の取付片１２６，１２８を軸ピン１３０により開閉自在に設けており、軸ピン１３０の中央部にはコイル状のバネ部材１３２が配置され、取付片１２６，１２８を開く方向に付勢している。蝶番１２２の取付片１２６は扉内面側、具体的には図９に示したように、扉内面１８ａに固定した取付部材１２４にビスなどにより固定され、反対側の取付片１２８はホルダ部材１２０の底部をビスなどにより固定している。
【００６５】
蝶番１２２はフリー状態では図１１（Ｂ）に示すように、軸ピン１３０の両側に取付片１２６，１２８が位置する開いた状態にあるが、図９に示したホルダ部材１２０の起立状態では取付片１２６ａに示すように閉じた位置にあり、また図１０に示したノズル４５を取り出した状態では、取付片１２６ｂで示す位置に開いてホルダ部材１２０を扉内面１８ａに倒すようになる。なお、蝶番１２２のバネ部材１３２の強さは、ノズル４５がノズル保持部材に取り付けられている時は起立を維持し、ノズル４５が外れた時にのみノズル保持部材が倒れるように設定する。
【００６６】
図１２はノズル保持部に隣接して配置されるノズル受け台を取り出して示した説明図であり、図１２（Ａ）に平面を、図１２（Ｂ）に正面を示している。図１２において、ノズル受け台７２は円弧状に窪んだ受け部７２の両側に取付部７２ｂを一体に屈曲形成しており、図７に示したように、ノズル保持部７０にノズル４５を保持した状態でノズル４５の後部のホース接続部４５ｃを受け部７２ａの円弧状の窪みに位置させ、ホース４４から応力を受けてもノズル４５の後部が横に振れることなく、ノズル保持部７０の軸中心線方向に位置決め保持できるようにしている。
【００６７】
またノズル受け台７２は図１２（Ｂ）に示すように、ノズル４５を扉内面１８ａより浮かした位置に保持した状態でとしており、扉内面１８ａとノズル４５の間に隙間を形成し、ここに指を入れる空間を確保してハンドルなど握りやすくしている。更に、ノズル受け台７２の高さは、図１０（Ａ）に示すように、ノズル保持部１２０が倒れた場合の高さよりも低くなるように設定している。
【００６８】
再び図８を参照するに、ノズル４５を取り外した場合、本実施形態にあっては、蝶番１２２のバネ部材１３２によりホルダ部材１２０を左側、即ちノズル後方側に倒すように付勢している。一方、図７に示すノズル４５の保持状態では、ホース４４によりノズル４５は右方向に押す力を受けており、このためホルダ部材１２０は蝶番１２２を閉じる方向（起立する方向）に押されて起立状態を維持することができる。なお、ノズル受け台７２の端部にノズル４５の後部が当接する部材を追加して、ノズル４５が取り付けられた状態でノズル保持７０のバネ部材１３２のバネ力によりノズル４５が後方側にずれるのを防ぐようにしても良い。
【００６９】
また図７に示すように、ノズル保持部７０は、ノズル４５におけるグリップ４５ｂの右側となるノズル本体４５ａの先端側をホルダ部材１２０に保持している。これに対しノズル４５におけるグリップ４５ｂの左側となるノズル本体４５ａの後端側をホルダ部材１２０に保持させようとすると、ノズル本体４５ａの先端が操作ボックス７６に当り、保持させることができない。
【００７０】
即ち、本実施形態にあっては、ホルダ部材１２０に対しノズル４５のグリップ先端側は保持可能とするが、グリップ後端側は保持できないように、操作ボックス７６に対するホルダ部材１２０の配置位置を決めおり、予定したノズル４５の位置を確実に保持可能としている。
【００７１】
また、図８に示したように、ノズル保持部７０の傾倒方向を消火栓扉１８の横方向（消火栓扉の回動軸線方向で、消火栓扉の開閉方向とは垂直の方向）に倒れるようにしている。これは、もしノズル保持部７０を消火栓扉１８の開閉方向に倒れるように設定すると、消火栓扉１８の開け閉めの際にノズル４５の重さでノズル保持部７０が回動してしまい、ノズル４５がずれたり、ノズル４５がノズル保持部７０から外れてしまう恐れがある。本実施形態はノズル保持部７０の傾倒方向が消火栓扉１８の開閉方向とは垂直方向の回動軸線方向としたことで、消火栓扉１８の開閉操作に関係なくノズル保持部７０の位置を維持することができ、またノズル４５をノズル保持部７０とノズル受け台７２で確実に保持できる。
【００７２】
図１３は図７に対しホルダ部材の傾倒方向を逆にした本発明によるノズル保持部の他の実施形態を示した説明図である。図１３にあっては、ノズル保持部７０からノズル４５を取り出すと、ホルダ部材１２０は右側、即ちノズル先端方向に倒れるように蝶番１２２を介して取付部材１２４に装着している。
【００７３】
このようにホルダ部材１２０の倒れる方向を逆にしても、倒れたホルダ部材１２０はその横に配置している操作ボックス７６と同程度の低い位置となり、筐体から引き出したホースは倒れて低くなったホルダ部材１２４に当ることがなく、ホースの傷付きを確実に防止し、ホースの引き出し作業に悪影響を及ぼすことを防止することができる。特に図１３の方向に倒れるとホルダ部材１２０の一対の先端部がホースの引き出し方向に倒れるため、ホース４４が倒れたホルダ部材１２０の間にはまるがない。
【００７４】
なお、図１３の実施形態ではホースの引き出し力により、ホルダ部材１２０が倒れ易くなる可能性があるが、ホルダ部材１２０のノズル４５を保持する強度を適度に設定することで、ノズル４５を保持しているときはホルダ部材１２０が倒れないようにする。
【００７５】
図１４はノズル保持部を２組設けた本発明の他の実施形態を示した説明図である。図１４において、消火栓扉１８の扉内面には２組のノズル保持部７０−１，７０−２が設けられる、ノズル保持部７０−１は図８に示したノズル保持部７０と同じものであり、ノズル４５におけるグリップ４５ｂの先端側（右側）を着脱自在に保持する。ノズル保持部７０−２はノズル４５におけるグリップ４５ｂの後端側（左側）を着脱自在に保持する。ノズル保持部７０−２を設けたことで図８に示したノズル受け台７２は設けられていない。
【００７６】
このように２組のノズル保持部７０−１，７０−２を設けたことで、より確実にノズル４５を保持することができる。またノズル４５を取り外すと、蝶番１２４に設けたバネ部材によりホルダ部材１２０はノズル後端側（左側）に倒れ、倒れたホルダ部材１２０はその横に配置している操作ボックス７６と同程度の低い位置となり、筐体から引き出したホースは倒れて低くなったホルダ部材１２４に当ることがなく、ホースの傷付きを確実に防止し、ホースの引き出し作業に悪影響を及ぼすことを防止することができる。
【００７７】
図１５はノズル保持部を２組設けた本発明の他の実施形態を示した説明図であり、本実施形態ではノズル保持部７０−１，７０−２に設けたホルダ部材１２０の倒れる方向を図１４の実施形態と逆のノズル前方側としている。
【００７８】
図１６はノズル保持部を２組設けた本発明の他の実施形態を示した説明図であり、本実施形態ではノズル保持部７０−１，７０−２に設けたホルダ部材１２０の倒れる方向を、ノズル保持部７０−１は右側、ノズル保持部７０−２は左側としていった互いに離れる方向としている。
【００７９】
図１７は、倒れたホルダ部材を覆う開閉自在なカバー機構を備えた本発明の他の実施形態を示した説明図である。
【００８０】
図１７において、ノズル保持部７０及びノズル受け台７２は図８の実施形態と同じであるが、ノズル保持部７０の右側にカバー機構１３４を設けている。カバー機構１３４はノズル４５を取り外してホルダ部材１２０が蝶番１２２により倒れたときにカバー部材１３６をホルダ部材１２０を覆うようカバー部材１３６ａの位置に回動させるようにして、ホース４４がノズル保持部７０により引っかからないようにしている。
【００８１】
図１８は図１７のカバー構造を取り出して側面で示した説明図であり、図１８（Ａ）はノズル保持状態を示し、図１８（Ｂ）はノズル取外し状態を示しており、更に、図１９に図１７のカバー構造を取り出して平面で示している。
【００８２】
カバー機構１３４は扉内面１８ａに固定された取付部材１４０に対しカバー部材１３６を蝶番１３８により開閉自在に支持している。カバー部材１３６はホルダ部材１２０にノズルを保持した状態で図１８（Ａ）に示すように、上向きに開いた待機状態にあり、ホルダ部材１２０に軸１４６により連結したレバー１４４の先端に設けたマグネット１４２の吸着で待機位置に保持されている。
【００８３】
蝶番１３８は図１１と同じ構造であり、カバー部材１３６を左周りとなる閉鎖方向に付勢している。なお、カバー部材１３６を手動操作で閉じる場合はバネ部材１３２は必ずしも必要としない。また図１９に示すように、取付部１４０の左側両端には張出し部１４０ａが形成され、ノズル保持部７０の取付部材１２４に先端を当接して配置位置の位置決めを行っている。
【００８４】
図１８（Ａ）の状態でノズル４５を取り出してホルダ部材１２０が図１８（Ｂ）に示すように矢印Ａに示すように倒れた場合、レバー１４４がマグネット１４２の保持を引き外し、待機位置にあるカバー部材１３６ａを矢印Ｂに示すように回動し、カバー部材１３６に示すように、倒れているホルダ部材１２０の上部を覆う位置とする。これによって扉内面に倒れて低くなったホルダ部材１２の外側がカバー部材１３６で覆われ、外部に引き出しているホースが倒れているホルダ部材１２０に直接当たらないようにすることができる。
【００８５】
ここで、カバー部材１３６は透明なプラスチックケースとして、カバーしているホルダ部材１２０が見えるようにしても良い。
【００８６】
なお、上記の実施形態は斜め下向きに開放する消火栓扉を例にとっているが、図１２乃至図１４に示した従来例と同様、消火栓扉を水平位置に開放する構造の消火栓装置についても、そのまま適用することができる。
【００８７】
また上記の実施形態は消火栓扉の内側に消火栓弁開閉レバーを設けた場合を例にとっているが、筐体内の消火栓弁５４に直接に消火栓弁開閉レバーを設けた場合についても、そのまま適用できる。
【００８８】
また、上記の実施形態にあっては、筐体を消火栓側と消火器側とに分割した場合を例にとっているが、一体型の筐体構造についても、同様に上記の実施形態のホース取出口を扉開口部の略中央に配置したホースバケット構造を適用することができる。
【００８９】
また、上記の実施形態はグリップ付きのノズルを例にとっているが、グリップの内ストレート型のノズルであっても良い。
【００９０】
また、ホース収納空間３６とバルブ収納空間３８は逆に配置されても良い。ホース収納空間３６へのホース４４の収納方向は図２のような時計周りでもよいし、従来図２０のような反対巻きであっても良い。
【００９１】
また本発明は、その目的と利点を損なうことのない適宜の変形を含み、更に上記の実施形態に示した数値による限定は受けない。
【符号の説明】
【００９２】
１０：消火栓装置
１８：消火栓扉
４４：ホース
４５：ノズル
６４：消火栓弁開閉レバー
７０：ノズル保持部
７２：ノズル受け台
７６：操作ボックス
１２０：ホルダ部材
１２２：蝶番
１２４：取付部材
１２６，１２８：取付片
１３０：軸ピン
１３２：バネ部材
１３４：カバー機構
【図１】
2012065886.tif 000003
【図２】
2012065886.tif 000004
【図３】
2012065886.tif 000005
【図４】
2012065886.tif 000006
【図５】
2012065886.tif 000007
【図６】
2012065886.tif 000008
【図７】
2012065886.tif 000009
【図８】
2012065886.tif 000010
【図９】
2012065886.tif 000011
【図１０】
2012065886.tif 000012
【図１１】
2012065886.tif 000013
【図１２】
2012065886.tif 000014
【図１３】
2012065886.tif 000015
【図１４】
2012065886.tif 000016
【図１５】
2012065886.tif 000017
【図１６】
2012065886.tif 000018
【図１７】
2012065886.tif 000019
【図１８】
2012065886.tif 000020
【図１９】
2012065886.tif 000021
【図２０】
2012065886.tif 000022
【図２１】
2012065886.tif 000023
【図２２】
2012065886.tif 000024